(57)【要約】【課題】効率的かつ低コストで笠木の融雪及び雪庇の形成防止を行うことのできる笠木用融雪ヒーターを提供する。【解決手段】笠木用融雪ヒーター１００は、粘着シート１１０と、粘着シート１１０に接着された内側外装シート１２０と、内側外装シート１２０に接着され、長手方向に一対の電極線１３２が配置された発熱シート１３０と、発熱シート１３０に接着された外側外装シート１４０と、外側外装シート１４０に接着された保護シート１５０と、を備える。発熱シート１３０は、伝導性粒子材が塗布された樹脂フィルムと、該樹脂フィルムを被覆する絶縁層と、からなる。長手方向の両端縁部の粘着シート１１０と保護シート１５０との間において、防水テープ１６０が一対貼設されている。【選択図】図１
0003210367.tif 000002
【実用新案登録請求の範囲】
【請求項１】
粘着シートと、
前記粘着シートに接着された内側外装シートと、
前記内側外装シートに接着され、長手方向に一対の電極線が配置された発熱シートと、
前記発熱シートに接着された外側外装シートと、
前記外側外装シートに接着された保護シートと、
を備え、
前記発熱シートは、伝導性粒子材が塗布された樹脂フィルムと、該樹脂フィルムを被覆する絶縁層と、からなり、
長手方向の両端縁部の前記粘着シートと前記保護シートとの間において、防水テープが一対貼設されている、
ことを特徴とする笠木用融雪ヒーター。
【請求項２】
前記樹脂フィルムは、ポリエチレンテレフタレートフィルムであり、前記伝導性粒子材は、カーボンとポリエステルとからなる、
ことを特徴とする請求項１に記載の笠木用融雪ヒーター。
【考案の詳細な説明】
【技術分野】
【０００１】
本考案は、笠木用融雪ヒーターに関する。
【背景技術】
【０００２】
降雪地帯では、建物の屋上に雪が積もることで、屋根に荷重がかかって建物が損壊したり、特に、建物の屋上笠木に雪庇が形成され、それが落下して人身事故及び物損事故が起こることが問題視されてきた。
【０００３】
そこで、屋上笠木の融雪及び雪庇形成防止のために、笠木の内側に発熱ヒーターを隠蔽させて設置することが提案されている（特許文献１、２）。
【０００４】
また、可撓性のあるシート材に電極線を配したシートヒータの表面に可撓性のある肉薄の絶縁防水材を備える一方、シートヒータの裏面に可撓性のある粘着シート材を備えた、笠木の表面に接着させることでに設置可能なマット状の融雪ヒータ材が提案されている（特許文献３）。
【先行技術文献】
【特許文献】
【０００５】
【特許文献１】特開２００３−０２０７６０号公報
【特許文献２】特開２００１−３４９０１９号公報
【特許文献３】登録実用新案第３１９２３８２号公報
【考案の概要】
【考案が解決しようとする課題】
【０００６】
しかしながら、特許文献１、２の発熱ヒーターでは、笠木の内側に発熱ヒーターを隠蔽させて設置するため、笠木を取り付ける作業と電気工事との両方の作業を要し、工事期間が長くなり、また設置コストも必然的に高くなるという問題があった。また、脱着が困難な金属笠木の場合、同様に工期が長くなり、コストが高くなるという難点を有していた。また、特許文献３の融雪ヒーターでは、発熱体に使用されるカーボンシートの基礎材がゴム系であるため、経年劣化しやすく、また、発熱体を支持する粘着シート材の両端部が時間の経過とともに捲れ上がり、笠木への十分な接着性を保つことができないという点で課題を残していた。
【０００７】
本考案は、上記事情に鑑みてなされたものであり、効率的かつ低コストで笠木の融雪及び雪庇の形成防止を行うことのできる笠木用融雪ヒーターを提供することを目的とする。
【課題を解決するための手段】
【０００８】
上記目的を達成するため、本考案の第１の観点に係る笠木用融雪ヒーターは、
粘着シートと、
前記粘着シートに接着された内側外装シートと、
前記内側外装シートに接着され、長手方向に一対の電極線が配置された発熱シートと、
前記発熱シートに接着された外側外装シートと、
前記外側外装シートに接着された保護シートと、
を備え、
前記発熱シートは、伝導性粒子材が塗布された樹脂フィルムと、該樹脂フィルムを被覆する絶縁層と、からなり、
長手方向の両端縁部の前記粘着シートと前記保護シートとの間において、防水テープが一対貼設されている、
ことを特徴とする。
【０００９】
例えば、前記樹脂フィルムは、ポリエチレンテレフタレートフィルムであり、前記伝導性粒子材は、カーボンとポリエステルとからなる。
【考案の効果】
【００１０】
本考案によれば、効率的かつ低コストで笠木の融雪及び雪庇の形成防止を行うことのできる笠木用融雪ヒーターを提供することができる。
【図面の簡単な説明】
【００１１】
【図１】本発明の一実施形態である笠木用融雪ヒーターの構造を示す模式斜視図である。
【図２】本発明の一実施形態である笠木用融雪ヒーターの構造を示す模式断面図である。
【図３】発熱シートの構造を示す模式断面図である。
【図４】本発明の一実施形態である笠木用融雪ヒーターを屋上笠木に設置した状態を示す模式斜視図である。
【考案を実施するための形態】
【００１２】
まず、本考案による笠木用融雪ヒーターについて詳細に説明する。
【００１３】
本実施の形態に係る笠木用融雪ヒーター１００は、略長方形のシート状の形状をなし、図１及び図２に示すように、粘着シート１１０と、内側外装シート１２０と、発熱シート１３０と、外側外装シート１４０と、保護シート１５０と、防水テープ１６０と、を備えている。笠木用融雪ヒーター１００は、図４に示すように、屋上笠木１０に貼り付けて設置することで、屋上笠木１０の融雪及び雪庇の形成防止を行うものである。
【００１４】
粘着シート１１０は、笠木用融雪ヒーター１００本体を屋上笠木１０に貼り付けて固定させる役割を果たす。粘着シート１１０として、コンクリート笠木、モルタル笠木、樹脂製笠木、金属製笠木等に接着可能な接着材層（図示せず）と、接着材層を被覆する剥離シート（図示せず）と、からなる厚さ０．５ｍｍの粘着シートが用いられる。笠木用融雪ヒーター１００を屋上笠木１０に貼り付ける際には、粘着シート１１０の剥離シートを剥がして、接着材層を露出させ、接着材層を屋上笠木１０の表面に貼り付けて固定する。
【００１５】
内側外装シート１２０は、粘着シート１１０上に重なるように接着されている。内側外装シート１２０は、エチレンプロピレンジエンゴム（ＥＰＤＭ）製であり、矩形状の接着シート１１０と略同一形状をなす厚さ１ｍｍのシートである。内側外装シート１２０は、笠木用融雪ヒーター１００の防水性及び耐候性を高める役割を果たす。
【００１６】
発熱シート１３０は、内側外装シート１２０上に重なるように接着されている。発熱シート１３０の長手方向には、一対の電極線１３２が配置され、電極線１３２に通電することで、発熱シート１３０が発熱し、屋上笠木１０の融雪及び雪庇防止を行う。発熱シート１３０は、薄手のシートであり、図３に示すように、伝導性粒子材１３０ｂ（カーボンとポリエステルとからなる）が塗布された樹脂フィルム１３０ａ（ポリエチレンテレフタレート製フィルム）と、樹脂フィルム１３０ａ及び伝導性粒子材１３０ｂ（カーボンとポリエステルとからなる）を被覆する絶縁層１３０ｃ（ラミネートフィルム）と、からなる。
【００１７】
外側外装シート１４０は、発熱シート１３０上に重なるように接着されている。外側外装シート１４０は、内側外装シート１２０と同様、エチレンプロピレンジエンゴム（ＥＰＤＭ）製であり、矩形状の接着シート１１０と略同一形状をなす厚さ１ｍｍのシートである。外側外装シート１４０は、発熱シート１３０に配置された電極線１３２を電気的に絶縁するとともに、笠木用融雪ヒーター１００の防水性及び耐候性を高める役割を果たす。
【００１８】
保護シート１５０は、外側外装シート１４０上に重なるように接着されている。保護シート１５０は、エチレンプロピレンジエンゴム（ＥＰＤＭ）製であり、矩形状の接着シート１１０と略同一形状をなす厚さ１ｍｍのシートである。保護シート１５０の表面にはさらに保護用塗料が塗布されている。保護シート１５０は、笠木用融雪ヒーター１００の防水性及び耐候性を高める役割を果たす。
【００１９】
防水テープ１６０は、笠木用融雪ヒーター１００の長手方向の両端縁部において、一対貼設されている。より具体的には、図２に示すように、防水テープ１６０は、内側外装シート１２０、発熱シート１３０及び外側外装シート１４０の両端縁部と接するようにして、粘着シート１１０と保護シート１５０との間に挟み込まれるように貼設されている。本実施形態における防水テープ１６０は、厚さ２ｍｍであり、内側外装シート１２０の厚さと、発熱シート１３０の厚さと、外側外装シート１４０の厚さと、の和の値と略同一の厚さを有する。防水テープ１６０は、ブチルゴム製であり、笠木用融雪ヒーター１００の防水性及び耐候性を高める役割を果たす。防水テープ１６０はまた、笠木用融雪ヒーター１００の両端部の捲れ上がりを防止し、長期間にわたって粘着シート１１０の屋上笠木１０表面への十分な接着性を保つ役割を果たす。
【００２０】
なお、笠木用融雪ヒーター１００には、給電のための、電極線１３２に電気的に接続されたリード線（図示せず）が別途備えられる。
【００２１】
以上説明したように、本実施の形態に係る笠木用融雪ヒーター１００は、粘着シート１１０によって屋上笠木１０の表面に貼り付けて固定することができるため、効率的かつ簡便に使用することができる。また、屋上笠木１０の内部に隠蔽させて設置する必要がないため、設置コストを抑えることができる。
【００２２】
また、本実施の形態に係る笠木用融雪ヒーター１００の発熱シート１３０には、カーボンとポリエステルとからなる伝導性粒子材１３０ｂが塗布された樹脂フィルム１３０ａが用いられているため、経年劣化し難く、長期にわたって継続使用することができ、低コスト化を図ることができる。
【００２３】
また、本実施の形態に係る笠木用融雪ヒーター１００は、防水テープ１６０を備えることで、両端部の捲れ上がりが防止され、長期間にわたって屋上笠木１０の表面への十分な接着性を保つことができる。
【００２４】
なお、この発明は上記実施の形態に限定されず、種々の変形及び応用が可能である。例えば、本実施形態においては、発熱シート１３０について、伝導性粒子材１３０ｂとしてカーボン及びポリエステル、樹脂フィルム１３０ａとしてポリエチレンテレフタレート製フィルム、絶縁層１３０ｃとしてラミネートフィルムを使用した形態について説明したが、それらの材質については、伝導性粒子材、樹脂フィルム及び絶縁層として使用可能なものであれば適宜採用され得る。
【００２５】
また、本実施形態においては、内側外装シート１２０、外側外装シート１４０及び保護シート１５０について、エチレンプロピレンジエンゴム（ＥＰＤＭ）製のシートを用いた形態について説明したが、それらの材質については、電気絶縁性並びに笠木用融雪ヒーター１００の防水性及び耐候性を担保し得るものであれば特に制限なく選択され得る。
【００２６】
また、本実施形態においては、ブチルゴム製の防水テープ１６０の形態について説明したが、防水テープ１６０の材質については、笠木用融雪ヒーター１００の防水性及び耐候性を高め、かつ、笠木用融雪ヒーター１００の両端部の捲れ上がりを防止し得る材質であれば、適宜採用され得る。
【００２７】
また、本実施形態においては、厚さ１ｍｍの内側外装シート１２０、厚さ１ｍｍの外側外装シート１４０及び厚さ２ｍｍの防水テープ１６０を使用した形態について説明したが、防水テープ１６０の厚さが、内側外装シート１２０の厚さと、発熱シート１３０の厚さと、外側外装シート１４０の厚さと、の和の値と略同一である限り、笠木用融雪ヒーター１００の全体の大きさ等に応じて、これらの厚さは適宜変更可能である。また、本実施形態においては、厚さ０．５ｍｍの粘着シート１１０及び厚さ１ｍｍの保護シート１５０を使用した形態について説明したが、笠木用融雪ヒーター１００の全体の大きさ等に応じてこれらの厚さも適宜変更可能である。
【００２８】
また、本実施形態においては、図４に示したように、笠木用融雪ヒーター１００を屋上笠木１０に貼り付けて設置する形態について説明したが、屋上笠木に限らず、建造物に設けられた笠木であれば特に制限無く設置可能である。
【符号の説明】
【００２９】
１０  屋上笠木
１００  笠木用融雪ヒーター
１１０  粘着シート
１２０  内側外装シート
１３０  発熱シート
１３０ａ  樹脂フィルム
１３０ｂ  伝導性粒子材
１３０ｃ  絶縁層
１３２  電極線
１４０  外側外装シート
１５０  保護シート
１６０  防水テープ
【図１】
0003210367.tif 000003
【図２】
0003210367.tif 000004
【図３】
0003210367.tif 000005
【図４】
0003210367.tif 000006